(57)【要約】【課題】  構造が簡単で照射方向の設定自由度も比較的大きく、更に細くて目立たないロッド状照明具を提供するとともに、そのロッド状照明具を用いて照明効果に優れた覗き型の展示装置を提供する。【解決手段】  ロッド状照明具６は、光透過体を内装した支持パイプの先端部に嵌合部を形成したアーム部と、嵌合部に外嵌するパイプ状のカバーに照射口を開口し、照射口の遠位側に反射ミラーを内装したヘッド部とからなる。展示装置は、本体１内部に設けた展示空間３の上面を開放して上部開口７を形成し、本体後部に覗き窓２の後端を枢着して開閉可能となし、展示空間の後部上位に横設したパネル板２１に所定間隔毎にソケット２６を設け、ソケットに光源部に接続したライトガイドを接続し、ロッド状照明具６をソケットに着脱可能に接続して、覗き窓の下面に略平行に前方へ向けて配設した。【選択図】        図１
2005259536.tif 000002
【特許請求の範囲】
【請求項１】
不透明な支持パイプの内部に光透過体を内装するとともに、該支持パイプの先端部に段落ち状に小径の嵌合部を形成したアーム部と、前記嵌合部に外嵌するパイプ状のカバーの周囲面の一部に照射口を開口するとともに、該照射口の遠位側に傾斜した反射面を有する反射ミラーを内装したヘッド部とからなるロッド状照明具。
【請求項２】
前記アーム部とヘッド部の外形を略同径とするとともに、前記アーム部の嵌合部に環状溝を形成してＯリングを嵌着し、該嵌合部に前記ヘッド部のカバーを弾性的に外嵌し、前記アーム部の軸方向に対してヘッド部を回転可能としてなる請求項１記載のロッド状照明具。
【請求項３】
前記アーム部として、直線状のものと、先端部が屈曲した屈曲状のものを用意し、直線状アーム部より屈曲状アーム部の方を長く設定してなる請求項１又は２記載のロッド状照明具。
【請求項４】
本体内部に展示空間を設けるとともに、該展示空間の上面を開放して上部開口を形成し、本体後部に透視性を有する覗き窓の後端を枢着して前記上部開口を開閉可能となし、前記展示空間の後部上位に横設したパネル板に所定間隔毎にソケットを設けるとともに、該ソケットに光源部に接続したライトガイドを接続してなり、前記請求項１〜３何れかに記載のロッド状照明具のアーム部の基端部を前記ソケットに着脱可能に接続するとともに、該ロッド状照明具を後部から前記覗き窓の下面に略平行に前方へ向けて配設してなることを特徴とする展示装置。
【請求項５】
本体内部に展示空間を形成した上面が前下がりの箱形の展示ケースユニットと、該展示ケースユニットを載置するとともに、前記光源部を収容した下部台ユニットとを備え、前記展示ケースユニットは、本体両側に前記展示空間に連通状態で開放した側部開口を形成し、該側部開口を端部カバーで閉鎖して単独使用することが可能であるとともに、前記側部開口と略同一形状の切欠部を形成した連結部材を介在させて前記展示空間を連続させて側方へ連設して使用することが可能である請求項４記載の展示装置。
【請求項６】
前記展示ケースユニットを単独使用する場合には、左右両側に屈曲状アーム部を有するロッド状照明具をヘッド部を内側へ向けて装着するとともに、中間部には直線状アーム部を有するロッド状照明具を装着し、複数の前記展示ケースユニットを側方へ連設して使用する場合には、連結側の屈曲状アーム部を有するロッド状照明具を直線状アーム部を有するロッド状照明具に取り替えてなる請求項４又は５記載の展示装置。
【発明の詳細な説明】
【技術分野】
【０００１】
本発明は、ロッド状照明具及びそれを用いた展示装置に係わり、更に詳しくはスポット照明が可能なロッド状照明具と、該ロッド状照明具を用いた博物館や美術館若しくは店舗で使用する覗き型の展示装置に関するものである。
【背景技術】
【０００２】
従来から内部に展示空間を設け、その少なくとも上部又は周囲の全部が透光性のガラス板で覆われた構造の覗き型の展示装置は各種提供されており、ガラス板からなる上部の覗き窓を開閉自在となした構造が一般的である。また、特許文献１に示すように、単独でも使用できるとともに、巻物等の長尺の展示物を展示する場合には、複数の展示装置を側方へ連設して各展示装置の展示空間を連続させて使用することができる構造のものも提供されている。更に、展示装置内に展示する美術品、古文書等は、保存性を高めるために湿度や温度の管理を厳密に行わなければならないので、展示空間は外気と遮断して空調できるようになっている。
【０００３】
前記展示空間内には、展示物を照らすための照明具が設けられ、本出願人は展示空間の後部上方に沿って蛍光灯を設けるとともに、前部に光ファイバー照明の照射口を複数間隔を置いて配設した構造の照明付き展示装置を提供している。ここで、あまり明るい照明具を使用すると紫外線の放射量が増えて、歴史的に貴重な展示物を光劣化させたり、変質させたりすることになるため、博物館や美術館で使用する展示装置では明るさを抑えたソフトな照明具を使用している。従来の蛍光灯も光ファイバー照明も拡散照明であるので、照明具から離れた位置に置いた展示物はその後部又は前部より暗くなりがちである。そこで、展示物を強調して照明しようとすると、通常はスポット照明を用いる。前述の光ファイバー照明の照射口にレンズを設けて集光することも考慮されるが、光ファイバー照明の照射口の位置が低いので、原理的に展示物に影が生じ、照明効果は少ない。新たに、スポット照明具を展示空間の後部又は前部のやや高い位置に設けると、スポット照明具が邪魔になるばかりでなく、展示物から離れた位置から照らすことになるので、展示物に応じてその角度やスポット径等を調節する必要がある。
【０００４】
特許文献２には、周囲を透明ガラス板又は透明合成樹脂板で囲った構造の展示装置であるが、下部台ユニット内に設けた光源部に一端を接続されたライトガイドの他端部を、展示空間の床面のコーナー部に設けたソケットに接続し、照射部レンズを先端に備えたフレキシブルパイプ構造の照明部の中空支柱を前記ソケットに立起状態で接続した構造の照明装置が開示されている。この照明装置は、フレキシブルパイプ構造の中空支柱を曲げて照射部レンズの向きを任意に設定でき、展示物の周囲から効果的に照らすことができるものの、フレキシブルパイプ構造の中空支柱の径が大きく、また照射部レンズを有する先端部が比較的大きいので、目障りになることがある。
【特許文献１】特開２０００−１６６７１１号公報
【特許文献２】特開２００１−４６１９１号公報
【発明の開示】
【発明が解決しようとする課題】
【０００５】
そこで、本発明が前述の状況に鑑み、解決しようとするところは、構造が簡単で照射方向の設定自由度も比較的大きく、更に細くて目立たないロッド状照明具を提供するとともに、そのロッド状照明具を用いて照明効果に優れた覗き型の展示装置を提供する点にある。
【課題を解決するための手段】
【０００６】
本発明は、前述の課題解決のために、不透明な支持パイプの内部に光透過体を内装するとともに、該支持パイプの先端部に段落ち状に小径の嵌合部を形成したアーム部と、前記嵌合部に外嵌するパイプ状のカバーの周囲面の一部に照射口を開口するとともに、該照射口の遠位側に傾斜した反射面を有する反射ミラーを内装したヘッド部とからなるロッド状照明具を構成した（請求項１）。
【０００７】
ここで、前記アーム部とヘッド部の外形を略同径とするとともに、前記アーム部の嵌合部に環状溝を形成してＯリングを嵌着し、該嵌合部に前記ヘッド部のカバーを弾性的に外嵌し、前記アーム部の軸方向に対してヘッド部を回転可能としてなることがより好ましい（請求項２）。
【０００８】
更に、前記アーム部として、直線状のものと、先端部が屈曲した屈曲状のものを用意し、直線状アーム部より屈曲状アーム部の方を長く設定してなることも好ましい（請求項３）。
【０００９】
そして、本発明は、本体内部に展示空間を設けるとともに、該展示空間の上面を開放して上部開口を形成し、本体後部に透視性を有する覗き窓の後端を枢着して前記上部開口を開閉可能となし、前記展示空間の後部上位に横設したパネル板に所定間隔毎にソケットを設けるとともに、該ソケットに光源部に接続したライトガイドを接続してなり、前記請求項１〜３何れかに記載のロッド状照明具のアーム部の基端部を前記ソケットに着脱可能に接続するとともに、該ロッド状照明具を後部から前記覗き窓の下面に略平行に前方へ向けて配設してなる展示装置を構成した（請求項４）。
【００１０】
また、本発明に係る展示装置は、本体内部に展示空間を形成した上面が前下がりの箱形の展示ケースユニットと、該展示ケースユニットを載置するとともに、前記光源部を収容した下部台ユニットとを備え、前記展示ケースユニットは、本体両側に前記展示空間に連通状態で開放した側部開口を形成し、該側部開口を端部カバーで閉鎖して単独使用することが可能であるとともに、前記側部開口と略同一形状の切欠部を形成した連結部材を介在させて前記展示空間を連続させて側方へ連設して使用することが可能である（請求項５）。
【００１１】
更に、前記展示ケースユニットを単独使用する場合には、左右両側に屈曲状アーム部を有するロッド状照明具をヘッド部を内側へ向けて装着するとともに、中間部には直線状アーム部を有するロッド状照明具を装着し、複数の前記展示ケースユニットを側方へ連設して使用する場合には、連結側の屈曲状アーム部を有するロッド状照明具を直線状アーム部を有するロッド状照明具に取り替えてなることが好ましい（請求項６）。
【発明の効果】
【００１２】
以上にしてなる請求項１に係る発明のロッド状照明具は、不透明な支持パイプの内部に光透過体を内装するとともに、該支持パイプの先端部に段落ち状に小径の嵌合部を形成したアーム部と、前記嵌合部に外嵌するパイプ状のカバーの周囲面の一部に照射口を開口するとともに、該照射口の遠位側に傾斜した反射面を有する反射ミラーを内装したヘッド部とからなるので、全体を非常に細くすることができ、アーム部の基端から光透過体に入射した照明光は該光透過体内を透過して先端から射出し、その前方に位置するヘッド部に設けた反射ミラーの傾斜反射面で反射して照射口から放射され、該照射口を照明対象物の近くに配置すれば、該照明対象物を含む近傍のみを明るく照らすことができる。
【００１３】
請求項２によれば、前記アーム部に対するヘッド部の取付け、取り替えを容易に行うことができるとともに、前記アームの軸方向に対してヘッド部を回転することにより、照射口の方向を簡単に変えることができ、それによりアーム部を固定していても照射方向を変えることができる。
【００１４】
請求項３によれば、照射対象物に応じて、直線状アーム部と屈曲状アーム部を有する２種類のロッド状照明具を組み合わせて、最適な照明の態様を実現することができる。
【００１５】
請求項４によれば、展示空間の後部に配置した蛍光灯で展示空間内を全体的に照明し、後部から覗き窓の下面に略平行に前方へ向けて配設したロッド状照明具で展示物を含む近傍をスポット的に明るく照らすことができ、照明効果を高めることができるにも係らず、ロッド状照明具は非常に細くできるので視覚に邪魔になることがないのである。また、ロッド状照明具は、展示空間の後部上位に横設したパネル板に所定間隔毎に設けたソケットに着脱可能であるので、取付けが容易であるとともに、異なる種類のロッド状照明具の配置も容易に設定可能である。更に、ロッド状照明具は、覗き窓の下面に略平行に後部から前方へ向けて配設しているので、展示物の設置に邪魔になることがなく、また展示物の前部には存在しないので、目立たないのである。
【００１６】
請求項５によれば、展示ケースユニットを単独で使用することができるとともに、巻物等の長尺の展示物を展示する場合には、複数の展示ケースユニットを側方へ連設して各展示空間を連続させて使用することができるのである。
【００１７】
請求項６によれば、単独使用、連設使用の何れの場合においても、左右両側端のロッド状照明具のヘッド部を内側へ向け、照射口の方向を内側後方へ向けることにより、それより内方の直線状ヘッド部を有するロッド状照明具と協同して展示空間の中心寄りを集中的に照らすことができるのである。
【発明を実施するための最良の形態】
【００１８】
次に添付図面に示した実施形態に基づき更に本発明の詳細を説明する。図１〜図５は本発明の覗き型展示装置の代表的な実施形態を示し、図中Ａは展示ケースユニット、Ａは下部台ユニット、１は本体、２は覗き窓、３は展示空間、４は端部カバー、５は連結部材、６はロッド状照明具をそれぞれ示している。
【００１９】
本発明に係る覗き型展示装置は、図１〜図５に示すように、展示ケースユニットＡを下部台ユニットＢに載置して使用するローケース型のものであり、複数の展示ケースユニットＡ，…を展示空間を連続させて側方へ連設することができるようになっている。尚、前記展示ケースユニットＡは連設せずに両端に端部カバー４，４を装着して単独でも使用することが可能なものである。
【００２０】
本発明に係る展示装置は、本体１内部に展示空間３を設けるとともに、該展示空間３の上面及び両側面を連通状態で開放して上部開口７及び側部開口８，８を形成し、本体１後部に透視性を有する覗き窓２の後端を枢着して前記上部開口７を開閉可能となし、更に前記本体１側面の側部開口の周囲に複数の係止孔９，…を形成した前記展示ケースユニットＡと、前記側部開口８を閉鎖し得る形状で一側面に前記係止孔９に嵌合係止する係止ピン１０，…を突設した左右対称な一対の端部カバー４，４と、前記側部開口８と略同一形状の切欠部１１を形成するとともに、該切欠部１１の周囲両側面に前記係止孔９，…に嵌合係止する係止ピン１２，…を突設した連結部材５とよりなるものである。
【００２１】
更に詳しくは、前記本体１は、内部に展示空間３を形成した上面が前下がりの箱形であり、その前下がりの上面及び両側面を展示空間３と連通するように開放して上部開口７と側部開口８，８を形成したものであり、該側部開口８の周囲にはパッキン１３を配設し、その外方側面に複数の前記係止孔９，…を、図例のものは後部に２個、前部に１個設けている。また、本体１の上面で前記上部開口７の前後縁に沿って前記パッキン１３と連続してパッキン１３を配設している。
【００２２】
前記覗き窓２は、前記上部開口７を覆うものであり、ガラス製又は透光性を有するアクリル樹脂等の合成樹脂製で作成され、前後端縁に非透光性の端部材１４，１５を固定し、後端部の端部材１５を前記本体１の上面後縁にヒンジ１６にて上下開閉可能に取付け、前記本体１に上面に装着したパッキン１３に前後端部材１４，１５が密着するようになっている。
【００２３】
前記端部カバー４は、図２及び図５に示すように、前記本体１の側面の外形状と略同一形状を有する板材であり、本体１側の上縁部一側に沿って断面Ｌ字形の受片１７を突設し、該受片１７の上面にパッキン１８を添着し、前記覗き窓２の側縁を載支し得るようになしている。また、端部カバー４の本体１側の周縁部には、前記係止孔９，…に落とし込み係合可能な係止ピン１０，…を突設している。
【００２４】
前記連結部材５は、図４及び図５に示すように、前記本体１の側面の外形状と略同形の外形状を有し且つ本体１の側部開口８と略同一形状の切欠部１１を形成した板材であり、その上縁部両側に沿って断面Ｌ字形の受片１９，１９を突設し、該受片１９の上面にパッキン２０を添着し、前記覗き窓２の側縁を載支し得るようになしている。また、連結部材５の両側周縁部には、前記係止孔９，…に落とし込み係合可能な係止ピン１２，…を突設している。
【００２５】
そして、側端に位置する展示ケースユニットＡの本体１の外側面には、前記パッキン１３を押圧しながら前記端部カバー４の係止ピン１０，…を対応する本体１の係止孔９，…に落とし込み係合して当該端部カバー４を取付け、また隣接する展示ケースユニットＡ，Ａ間には、前記パッキン１３を押圧しながら前記連結部材５の両側の係止ピン１２，…をそれぞれ対応する本体１の係止孔９，…に落とし込み係合して当該連結部材５を取付けて互いに連結する。その状態では、図４に示すように、前記端部カバー４の受片１７及び連結部材５の受片１９は上部開口７の側縁に存在するので、前記覗き窓２を閉止すれば、受片１７及び受片１９は各パッキン１８及びパッキン２０を介して下方へ押され、つまり前記係止ピン１０及び係止ピン１２が係止孔９に係合する方向に押され、覗き窓２を開かない限り前記端部カバー４及び連結部材５は本体１から外れることがないのである。また、前記パッキン１３の弾性復元力と摩擦抵抗とによって、本体１に取付けられた端部カバー４及び連結部材５はガタつきなく、しかも外れ難い状態となる。尚、本発明に係る覗き型展示装置は、貴重な展示品を収容するため、通常の展示状態では常に覗き窓２の遊端側は本体１に施錠（図示せず）されているので、端部カバー４及び連結部材５は覗き窓２によって外れ防止された状態となっている。
【００２６】
更に詳しくは、図３に示すように、前記展示空間３の後部の上位には、前記端部材１５の前縁に沿った位置に設けたパネル板２１と、その下方に面を展示空間３の中央部に向けて設けた透光板２２とを横設するとともに、該パネル板２１と透光板２２とで囲まれた空間内に蛍光灯２３を横設し、更に前記透光板２２の下方にはバックパネル２４を本体１の背板２５との間に空間を向けて垂設している。また、前記パネル板２１に横方向に所定間隔毎にソケット２６，…を設けるとともに、該ソケット２６に、前記下部台ユニットＢに設けた光源部２７に接続したライトガイド２８を、前記バックパネル２４の後方空間を通して接続している。更に、ロッド状照明具６の基端部を前記ソケット２６に着脱可能に接続するとともに、該ロッド状照明具６を後部から前記覗き窓２の下面に略平行に前方へ向けて配設している。
【００２７】
次に、図６〜図９に基づいて、本発明に係る前記ロッド状照明具６を更に詳しく説明する。ロッド状照明具６は、アーム部２９と、該アーム部２９の先端に着脱可能に装着するヘッド部３０とからなる。前記アーム部２９は、不透明な支持パイプ３１の内部に光透過体３２を内装するとともに、該支持パイプ３１の先端部に段落ち状に小径の嵌合部３３を形成したものである。前記ヘッド部３０は、前記嵌合部３３に外嵌するパイプ状のカバー３４の周囲面の一部に照射口３５を開口するとともに、該照射口３５の遠位側に傾斜した反射面３６Ａを有する反射ミラー３６を内装したものである。
【００２８】
更に、ロッド状照明具６は、前記アーム部２９とヘッド部３０の外形を略同径とするとともに、前記アーム部２９の嵌合部３３に環状溝３７を形成してＯリング３８を嵌着し、該嵌合部３３に前記ヘッド部３０のカバー３４を弾性的に外嵌し、前記アーム部２９の軸方向に対してヘッド部３０を回転可能としている。
【００２９】
本実施形態では、図６及び図８に示すように、前記アーム部２９として、直線状のものと、先端部が屈曲した屈曲状のものを用意し、直線状アーム部２９Ａより屈曲状アーム部２９Ｂの方を長く設定している。ここで、直線状アーム部２９Ａを用いたものをロッド状照明具６Ａとし、屈曲状アーム部２９Ｂを用いたものをロッド状照明具６Ｂとする。更に、直線状アーム部２９Ａにはヘッド部３０Ａを装着し、屈曲状アーム部２９Ｂにはヘッド部３０Ｂを装着している。
【００３０】
ここで、前記屈曲状アーム部２９Ｂにおいて、基端側に対して先端側の屈曲角度は４０°としている。また、前記ヘッド部３０Ａの反射ミラー３６の反射面３６Ａの角度は、照射口３５から放射される光軸が該ヘッド部３０Ａの軸方向と直交する方向から前方側へ３０°だけ向くように設定している。つまり、ヘッド部３０Ａの軸方向と直交する方向に対して反射ミラー３６の反射面３６Ａを６０°傾けている。また、前記ヘッド部３０Ｂの反射ミラー３６の反射面３６Ａの角度は、照射口３５から放射される光軸が該ヘッド部３０Ａの軸方向と直交する方向に向くように設定している。この場合は、ヘッド部３０Ａの軸方向と直交する方向に対して反射ミラー３６の反射面３６Ａを４５°傾けている。従って、ロッド状照明具６Ｂにおいて、照射口３５から放射される光軸は、後方へ４５°向くことになる。
【００３１】
前記ソケット２６は、図６及び図７に示すように、前記パネル板２１に開口した円孔３７の表側から雄ネジ部材３８を挿入し、裏側から雌ネジ部材３９を該雄ネジ部材３８に螺合して取付け、前記雄ネジ部材３８には、中心に貫通孔４０が形成されており、該貫通孔４０の裏側部には前記ライトガイド２８の端部を取付け、表側部には前記ロッド状照明具６のアーム部２９の基端部をねじ込んで取付け、前記ライトガイド２８とアーム部２９を光学的に接続している。また、前記ロッド状照明具６を取付けないソケット２６には、アーム部２９の基端部と同様な形状を有するキャップ４１を装着して、該ソケット２６から光が漏れないようにする。
【００３２】
本実施形態では、前記アーム部２９は、外径が６ｍｍのアルミニウム製のパイプを用い、表面に梨地白アルマイト処理を施したものであり、内部に密着状に充填した光透過体３２としてガラス棒を用いている。また、前記ライトガイド２８は、市販のフレキシブルタイプを用いている。
【００３３】
そして、図９に示すように、前述の２種類のロッド状照明具６Ａ，６Ｂを用い、展示物Ｐの一方の側方やや後部寄りに、直線状のロッド状照明具６Ａを配置するとともに、展示物Ｐの他方の側方やや前部寄りに、屈曲状のロッド状照明具６Ｂを配置することにとり、展示物Ｐを左右上方から照らすことができ、展示物Ｐをより強調し、また見易くすることができるのである。
【００３４】
更に、図２に示すように、前記展示ケースユニットＡを単独使用する場合には、左右両側に屈曲状アーム部２９Ｂを有するロッド状照明具６Ｂをヘッド部３０Ｂを内側へ向けて装着するとともに、中間部には直線状アーム部２９Ａを有するロッド状照明具６Ａを装着することにより、展示空間３の中央部を明るく照らすことができる。また、図４に示すように、複数の前記展示ケースユニットＡ，Ａを側方へ連設して使用する場合には、前述の配置から連結側の屈曲状アーム部２９Ｂを有するロッド状照明具６Ｂを、直線状アーム部２９Ａを有するロッド状照明具６Ａに取り替えて、複数の展示ケースユニットＡ，Ａに跨って展示した長尺の展示物を均一に効果的に照らすことができる。
【００３５】
このように、前記ロッド状照明具は、アーム部２９の先端部にヘッド部３０を着脱可能に取付けるものであるから、長さや屈曲角度の異なる複数種のアーム部２９を用意するとともに、反射角度の異なる複数種のヘッド部３０を用意し、それらを組合せれば、更に多様な照明が可能となる。また、前記アーム部２９の軸方向回りにヘッド部３０を回転させて、照射口３５の方向を簡単に変えることができるので、更に自由度の高い調節が可能となる。
【図面の簡単な説明】
【００３６】
【図１】本発明に係る展示装置を単独で使用する態様を示した全体斜視図である。
【図２】同じく単独使用の展示装置の展示ケースユニットの分解斜視図である。
【図３】本発明に係る展示装置の縦断面図である。
【図４】本発明に係る展示装置を複数連設して使用する態様を示した全体斜視図である。
【図５】同じく連設使用の展示装置の展示ケースユニットの分解斜視図である。
【図６】本発明に係るロッド状照明具の分解斜視図である。
【図７】ロッド状照明具をソケットに取付けた状態の断面図である。
【図８】ロッド状照明具の先端部の構造を示し、（ａ）は直線状のロッド状照明具の先端部の断面図、（ｂ）は屈曲状のロッド状照明具の先端部の断面図である。
【図９】２種類のロッド状照明具を用いて展示物を両側から照射する様子を示した説明用部分断面図である。
【符号の説明】
【００３７】
Ａ  展示ケースユニット    Ｂ  下部台ユニット
Ｐ  展示物
１  本体                  ２  覗き窓
３  展示空間              ４  端部カバー
５  連結部材              ６，６Ａ，６Ｂ  ロッド状照明具
７  上部開口              ８  側部開口
９  係止孔                １０  係止ピン
１１  切欠部              １２  係止ピン
１３  パッキン            １４  端部材
１５  端部材              １６  ヒンジ
１７  受片                １８  パッキン
１９  受片                ２０  パッキン
２１  パネル板            ２２  透光板
２３  蛍光灯              ２４  バックパネル
２５  背板                ２６  ソケット
２７  光源部              ２８  ライトガイド
２９  アーム部            ２９Ａ  直線状アーム部
２９Ｂ  屈曲状アーム部    ３０，３０Ａ，３０Ｂ  ヘッド部
３１  支持パイプ          ３２  光透過体
３３  嵌合部              ３４  カバー
３５  照射口              ３６  反射ミラー
３６Ａ  反射面            ３７  環状溝
３８  リング              ３９  円孔
４０  雄ネジ部材          ４１  雌ネジ部材
４２  貫通孔              ４３  キャップ
【図１】
2005259536.tif 000003
【図２】
2005259536.tif 000004
【図３】
2005259536.tif 000005
【図４】
2005259536.tif 000006
【図５】
2005259536.tif 000007
【図６】
2005259536.tif 000008
【図７】
2005259536.tif 000009
【図８】
2005259536.tif 000010
【図９】
2005259536.tif 000011